(57)【要約】【課題】コマ落ち等の発生を招くことなく動画像データの再生をより長い時間継続することが可能な再生装置および再生方法を実現する。【解決手段】ＡＶプレーヤ１０は、バッテリ１０４によって駆動可能に構成され、記録メディア１２０に格納されたビデオタイトル毎に異なるフォーマットの種類を有する複数の動画像データを再生する。バッテリ１０４の残容量が所定値以下である場合には、再生対象のビデオタイトルに対応する複数の動画像データの中から、最初から最後までの時間を再生することが可能な動画像データを選択し、選択した動画像データを再生する。動画像データを再生中に、バッテリ１０４の残容量が所定値以下になった場合、ＡＶプレーヤ１０は、再生中の動画像データに対応する複数の動画像データの中から、より長く再生することが可能な動画像データを選択し、選択した動画像データを再生途中から再生する。【選択図】      図２
2007066447.tif 000002
【特許請求の範囲】
【請求項１】
第１記録層に第１の解像度を有する動画像データが格納され、第２記録層に第２の解像度を有する前記動画像データを格納された２層構造の記録ディスクから動画像データを再生する再生装置において、
前記再生装置を駆動するバッテリと、
前記バッテリの残容量に基づいて、前記第１記録層に格納された動画像データを再生するか、前記第２記録層に格納された動画像データを再生するかを切り替える再生制御手段とを具備することを特徴とする再生装置。
【請求項２】
前記再生制御手段は、前記バッテリの残容量が所定値よりも大きい場合、前記第１の解像度を有する動画像データを再生し、前記第１の解像度を有する動画像データの再生中に前記バッテリの残容量が所定値以下である場合、前記第２の解像度を有する動画像データに切り替えて再生する動画像データ切り替え手段を含むことを特徴とする請求項１記載の再生装置。
【請求項３】
前記動画像データ切り替え手段は、前記第１の解像度を有する動画像データの再生終了位置を示す情報を保存する保存手段と、前記保存された情報に基づいて、前記再生終了位置から前記第２の解像度を有する動画像データの再生を開始する手段とを含むことを特徴とする請求項２記載の再生装置。
【請求項４】
前記再生制御手段は、前記バッテリの残容量に基づいて、前記第１の解像度を有する動画像データと前記第２の解像度を有する動画像データそれぞれ毎に前記バッテリからの電力によって再生可能な時間を予測する予測手段と、前記予測手段の予測結果を前記再生装置の表示画面に表示する表示手段とを含むことを特徴とする請求項１記載の再生装置。
【請求項５】
前記第１の解像度は前記第２の解像度よりも高い解像度であって、
前記再生制御手段は、再生対象の動画像データの初期区間の映像は前記第１の解像度で表示され、前記再生対象の動画像データの残りの区間の映像は前記第２の解像度で表示されるように、前記第１の解像度を有する動画像データを再生対象の動画像データとして最初に選択し、且つ前記第１の解像度を有する動画像データの再生途中で前記再生対象の動画像データを前記第１の解像度を有する動画像データから前記第２の解像度を有する動画像データに切り替える動画像データ切り替え手段を含むことを特徴とする請求項１記載の再生装置。
【請求項６】
第１の記録層に第１の解像度を有する動画像データを格納し、第２の記録層に第２の解像度を有する前記動画像データを格納した２層構造の記録ディスクから動画像データを再生する再生装置に適用される再生方法において、
前記再生装置を駆動するバッテリの残容量に基づいて、前記第１記録層に格納された動画像データを再生するか、前記第２記録層に格納された動画像データを再生するかを切り替える再生制御ステップを具備することを特徴とする再生方法。
【請求項７】
前記再生制御ステップは、前記バッテリの残容量が所定値よりも大きい場合、前記第１の解像度を有する動画像データを再生し、前記第１の解像度を有する動画像データの再生中に前記バッテリの残容量が所定値以下になった場合、前記第２の解像度を有する動画像データに切り替えて再生する動画像データ切り替えステップを含むことを特徴とする請求項６記載の再生方法。
【請求項８】
前記動画像データ切り替えステップは、前記第１の解像度を有する動画像データの再生終了位置を示す情報を保存する保存ステップと、前記保存された情報に基づいて、前記再生終了位置から前記第２の解像度を有する動画像データの再生を開始するステップとを含むことを特徴とする請求項７記載の再生方法。
【請求項９】
前記再生制御ステップは、前記バッテリの残容量に基づいて、前記第１の解像度を有する動画像データと前記第２の解像度を有する動画像データそれぞれ毎に前記バッテリからの電力によって再生可能な時間を予測する予測ステップと、前記予測ステップの予測結果を前記再生装置の表示画面に表示する表示ステップとを含むことを特徴とする請求項６記載の再生方法。
【請求項１０】
前記第１の解像度は前記第２の解像度よりも高い解像度であって、
前記再生制御ステップは、再生対象の動画像データの初期区間の映像は前記第１の解像度で表示され、前記再生対象の動画像データの残りの区間の映像は前記第２の解像度で表示されるように、前記第１の解像度を有する動画像データを再生対象の動画像データとして最初に選択し、且つ前記第１の解像度を有する動画像データの再生途中で前記再生対象の動画像データを前記第１の解像度を有する動画像データから前記第２の解像度を有する動画像データに切り替える動画像データ切り替えステップを含むことを特徴とする請求項６記載の再生方法。
【発明の詳細な説明】
【技術分野】
【０００１】
本発明は、バッテリ駆動可能に構成され、動画像コンテンツを再生するＡＶ（オーディオ・ビデオ）プレーヤのような再生装置および同装置に用いられる再生方法に関する。
【背景技術】
【０００２】
近年、ＤＶＤ（Digital Versatile Disc）プレーヤ等の再生装置においては、携帯型のものが開発されている。このような携帯型の再生装置は、バッテリによって駆動されている。しかし、バッテリによって駆動されている再生装置においては、動画像コンテンツの再生途中にバッテリの残容量が低下し、動画像コンテンツの内容を最後まで再生することができなくなる可能性がある。このため、携帯型の再生装置においては、バッテリ動作時間を長くするための機能を設けることが必要である。
【０００３】
特許文献１には、同一の音楽データを異なる圧縮率で圧縮した複数の音楽データファイルを再生する音楽再生装置が開示されている。この音楽再生装置は、消費電力の異なる複数の動作モードを有している。省電力モードにおいては、音楽再生装置のバッテリ動作時間を長くするために消費電力の低い音楽データファイル（高圧縮率で圧縮された低音質データ）が再生されることによって音楽再生装置のバッテリ動作時間を長くすることが出来る。
【０００４】
また、低消費電力を実現するために特許文献１に記載の音楽再生装置は、省電力モードにおいては、ＣＰＵ（Central Processing Unit）の内部クロックを低下または停止している。
【特許文献１】特開２００１−３１９４０７号公報
【発明の開示】
【発明が解決しようとする課題】
【０００５】
しかし、もしこのようなＣＰＵのクロック制御を動画像データの再生中に実行すると、ＣＰＵの処理速度が低下し、これによりコマ落ち等が発生し、動画像データがスムーズに再生されない可能性がある。
【０００６】
本発明は上述の事情を考慮してなされたものであり、コマ落ち等の発生を招くことなく動画像データの再生をより長い時間継続することが可能な再生装置および再生方法を提供することを目的とする。
【課題を解決するための手段】
【０００７】
上述の課題を解決するため、本発明は、第１記録層に第１の解像度を有する動画像データが格納され、第２記録層に第２の解像度を有する前記動画像データを格納された２層構造の記録ディスクから動画像データを再生する再生装置において、前記再生装置を駆動するバッテリと、前記バッテリの残容量に基づいて、前記第１記録層に格納された動画像データを再生するか、前記第２記録層に格納された動画像データを再生するかを切り替える再生制御手段とを具備することを特徴とする。
【発明の効果】
【０００８】
本発明によれば、コマ落ち等の発生を招くことなく動画像データの再生をより長い時間継続することが可能となる。
【発明を実施するための最良の形態】
【０００９】
以下、図面を参照して本発明の実施形態を説明する。
【００１０】
まず、図１乃至図３を参照して、本発明の一実施形態に係る再生装置の構成について説明する。この再生装置は、例えば、バッテリ駆動可能に構成され、記録メディアに格納された動画像コンテンツを再生する携帯型のＡＶ（オーディオ・ビデオ）プレーヤ１０として実現されている。記録メディアには、ビデオタイトル毎に、互いに異なるフォーマットを有する複数の動画像データが格納されている。同一のビデオタイトルに対応する複数の動画像データは、同一の映像ソースに基づいてそれぞれ構成されている。フォーマットの種類は、解像度、ビットレートおよび圧縮形式の組み合わせによって規定される。解像度は、動画像データを構成する複数のフレームの各々のサイズ（水平方向サイズ，垂直方向サイズ）を示す。ビットレートは、単位時間当たりの伝送データ量を示す。圧縮形式は、動画像データの圧縮符号化形式を示す。
【００１１】
あるビデオタイトルを再生する場合、本ＡＶプレーヤ１０は、バッテリの残容量と、消費電力情報とに基づいて、そのビデオタイトルを最後まで再生することが可能なフォーマットを有する動画像データ、またはより長い時間再生を継続して実行することが可能なフォーマットを有する動画像データを、再生対象のビデオタイトルに対応する複数の動画像データの中から選択し、当該選択された動画像データを再生する再生処理を実行する。消費電力情報は、動画像データを再生する際に、単位時間当たりに消費される電力を示す情報であり、フォーマットの種類毎に予め規定されている。
【００１２】
図１は、ＡＶプレーヤ１０のディスプレイユニットを開いた状態における斜視図である。本ＡＶプレーヤ１０は、ＡＶプレーヤ本体１２とディスプレイユニット１１とから構成されている。ディスプレイユニット１１には、ＬＣＤ（Liquid Crystal Display）パネル２０から構成される表示装置が組み込まれており、そのＬＣＤパネル２０の表示画面は、ディスプレイユニット１１のほぼ中央に位置されている。
【００１３】
ディスプレイユニット１１は、ＡＶプレーヤ本体１２に支持され、そのＡＶプレーヤ本体１２に対してＡＶプレーヤ本体１２の上面が露出される開放位置とＡＶプレーヤ本体１２の上面を覆う閉塞位置との間を回動自在に取り付けられている。ＡＶプレーヤ本体１２は、薄い箱形の筐体を有しており、その筐体には光ディスクドライブ３０が内蔵されている。その筐体の上面には、操作スイッチ群１４、光ディスクドライブ３０の蓋部３０Ａおよび蓋部３０Ａを開けるためのボタンスイッチ１７が設けられている。ＡＶプレーヤ本体１２の側面には、本ＡＶプレーヤ１０を電源オンするためのパワーボタンスイッチ１３、アナログ映像出力部１８およびアナログ音声出力部１９が設けられている。ＡＶプレーヤ本体１２の前面には赤外線受光部１５および表示パネル１６が設けられている。
【００１４】
操作スイッチ群１４は、動画像データを再生／停止するボタンスイッチ、動画像データを早送りする早送りボタンスイッチ、動画像データを巻き戻す巻き戻しボタンスイッチ等を備えている。光ディスクドライブ３０は、ＤＶＤ（Digital Versatile Disc）およびＣＤ（Compact Disc）等の記録メディアを駆動して、その記録メディアから動画像データを読み出す。アナログ映像出力部１８は、映像信号を外部に出力するための出力部である。アナログ音声出力部１９は、音声信号を外部に出力するための出力部である。赤外線受光部１５は、赤外線リモコンユニットから送信される操作要求を受信する。表示パネル１６には、例えば、光ディスクドライブ３０に現在挿入されている記録メディアに格納されているビデオタイトルのタイトル名、およびそのビデオタイトルの再生時間などが表示される。
【００１５】
次に図２を参照して、本ＡＶプレーヤ１０のシステム構成の例を説明する。
【００１６】
本ＡＶプレーヤ１０は、システム制御用プロセッサ１００、システムメモリ１０３、バッテリ１０４、充電回路１０５、電源回路１０６、サブマイコン１０７、メモリカードインターフェース１０８、モータドライバ１２１、光ピックアップ部１２２、復調・訂正処理部１２３、フレームメモリ１２４、ビデオデコーダ１２５、オーディオデコーダ１２６、システムバスインターフェース１２７、ＬＣＤ制御回路１２８、ビデオＤ／Ａ変換部１２９およびオーディオＤ／Ａ変換部１３０等を備えている。
【００１７】
システム制御用プロセッサ１００は、本ＡＶプレーヤ１０の各コンポーネントを制御するプロセッサである。また、システム制御用プロセッサ１００は、システムメモリ１０３に格納された消費電力情報を読み出す。さらに、システム制御用プロセッサ１００は、サブマイコン１０７との通信を実行する機能を有する。システム制御用プロセッサ１００はシステムバス１に接続されている。
【００１８】
サブマイコン１０７は、操作スイッチ群１４および赤外線受光部１５などから入力された要求操作を受け付け、受け付けた操作要求をシステム制御用プロセッサ１００に通知する。サブマイコン１０７には、バッテリインターフェース２を介してバッテリ１０４が接続されている。また、サブマイコン１０７には充電制御インターフェース３を介して充電回路１０５が接続されている。サブマイコン１０７は、バッテリインターフェース２を介してバッテリ１０４の残容量を検出して、検出したバッテリ１０４の残容量をシステム制御用プロセッサ１００に通知する。バッテリ１０４には、充電回路１０５および電源回路１０６が接続されている。充電回路１０５は、本ＡＶプレーヤ１０に接続されたＡＣアダプタなどを介して外部から供給された電力をバッテリ１０４に供給し、これによって、バッテリ１０４を充電する。電源回路１０６は、パワーボタンスイッチ１３がユーザによって押された時、本ＡＶプレーヤ１０の各コンポーネントに供給すべき電力をバッテリ１０４の電力から生成する。システムバス１にはメモリカードインターフェース１０８を介してメモリカード１０９が接続されている。メモリカード１０９は、データ等を格納するストレージデバイスとして機能する。
【００１９】
光ディスクドライブ３０は、モータドライバ１２１および光ピックアップ部１２２とから構成されている。モータドライバ１２１は、記録メディア１２０を回転駆動する。光ピックアップ部１２２は、記録メディア１２０にレーザ光を照射し、反射したレーザ光からＡＶ（オーディオ・ビデオ）信号を取得する。復調・訂正処理部１２３は、光ピックアップ部１２２によって取得されたＡＶ信号を復調し、復調したＡＶ信号を訂正する処理を実行する。また、復調・訂正処理部１２３は、復調・訂正されたＡＶ信号を動画像データと音声データとに分離して、動画像データをビデオデコーダ１２５に、音声データをオーディオデコーダ１２６にそれぞれ送信する。ビデオデコーダ１２５は、動画像データをデコードし、デコードされた動画像データをＬＣＤ制御回路１２８およびビデオデジタルアナログ（Ｄ／Ａ）変換部１２９に送信する。ＬＣＤ制御回路１２８は、ビデオデコーダ１２５から送信された動画像データをＬＣＤパネル２０に表示するための表示信号を生成する。ビデオデジタルアナログ変換部１２９は、ビデオデコーダ１２５から送信された動画像データを外部に出力する。オーディオデコーダ１２６は、音声データをデコードし、デコードされた音声データをオーディオデジタルアナログ（Ｄ／Ａ）変換部１３０を介して外部または本ＡＶプレーヤ１０に設けられたスピーカに出力する。
【００２０】
次に、図３を参照して、システム制御用プロセッサ１００の機能を説明する。システム制御用プロセッサ１００は、バッテリ残容量検出部２０１、動画像データ選択処理部２０２および動画像データ再生処理部２０３を備えている。バッテリ残容量検出部２０１は、バッテリ１０４の残容量を検出する処理を実行する。動画像データ選択処理部２０２は、記録メディア１２０に格納された動画像データそれぞれのフォーマットの種類と、バッテリ残容量検出部２０１によって検出されたバッテリ１０４の残容量とに基づいて、コンテンツリストを生成する。このコンテンツリストは、動画像データ毎に、バッテリ１０４からの電力によって再生可能な予想再生時間および最後まで再生可能か否かを示す。このコンテンツリストに基づいて、動画像データ選択処理部２０２は、再生対象のビデオタイトルに対応する複数の動画像データの中から再生すべき動画像データを選択する。具体的には、バッテリの残容量が所定のしきい値よりも大きい場合、再生対象のビデオタイトルに対応する動画像データの中で最も高画質の動画像データ（例えば最も高い解像度を有する動画像データ）を選択する。一方、バッテリの残容量が所定のしきい値以下である場合、動画像データ選択処理部２０２は、再生対象のビデオタイトルに対応する複数の動画像データの中で最も再生可能な時間の長い動画像データ（例えば最も低い解像度を有する動画像データ）を選択する。一般的に、低い解像度を有する動画像データよりも高い解像度を有する動画像データを再生する場合の方が、より多くの電力が消費される。また、一般的に、圧縮率の高い圧縮符号化形式で、且つ高い解像度を有する動画像データは、その動画像データを再生するためのデコード処理量等が大きいことに比例して、多くの消費電力が消費される。動画像データ再生処理部２０３は、動画像データ選択処理部２０２によって選択された動画像データを再生する。
【００２１】
次に図４を参照して、コンテンツリストの例を説明する。図４に示されているように、コンテンツリストには、動画像データ毎に、“タイトル”項目、“タイトル情報”項目、“ビットレート”項目、“圧縮形式”項目、“解像度”項目、“全再生時間”項目、“予想再生時間”項目、“再生可否”項目が規定されている。“タイトル”項目は、例えば動画像データのタイトル名を示す。“タイトル情報”項目は、動画像データを識別するための識別子を示す。“ビットレート”項目は、動画像データのビットレートを示す。“圧縮形式”項目は、動画像データの圧縮符号化形式を示す。“解像度”項目は、動画像データの解像度を示す。“解像度”の例としては、ＳＤ（Standard Definition）規格のインターレース画像である“ＳＤ（480i）”、ＨＤ（High Definition）規格のプログレッシブ画像の解像度を示す“ＨＤ（720p）”等がある。“全再生時間”項目は、動画像データの初めから最後までの再生時間の長さを示す。“予想再生時間”項目は、バッテリ１０４からの電力によって動画像データを再生可能な再生時間の長さを示す。“再生可否”項目は、バッテリ１０４からの電力によって動画像データを最初から最後まで再生可能であるか否かを示す。
【００２２】
記録メディア１２０には、ビデオタイトル１に対応する２つの動画像データ、ビデオタイトル２に対応する３つの動画像データおよびビデオタイトル３に対応する２つの動画像データが格納されている。ビデオタイトル１に対応する２つの動画像データは、タイトル情報＃１に対応する動画像データおよびタイトル情報＃２に対応する動画像データである。
【００２３】
ビデオタイトル２に対応する３つの動画像データは、タイトル情報＃３に対応する動画像データ、タイトル情報＃４に対応する動画像データおよびタイトル情報＃５に対応する動画像データである。ビデオタイトル３に対応する２つの動画像データは、タイトル情報＃６に対応する動画像データおよびタイトル情報＃７に対応する動画像データである。
【００２４】
ビデオタイトル１に対応する２つの動画像データ（タイトル情報＃１に対応する動画像データおよびタイトル情報＃２に対応する動画像データ）は、全再生時間が２時間３０分である同一の映像ソースからそれぞれ構成されている。ビデオタイトル２に対応する３つの動画像データ（タイトル情報＃３に対応する動画像データ、タイトル情報＃４に対応する動画像データおよびタイトル情報＃５に対応する動画像データ）は、全再生時間が２時間である同一の映像ソースからそれぞれ構成されている。ビデオタイトル３に対応する２つの動画像データ（タイトル情報＃６に対応する動画像データおよびタイトル情報＃７に対応する動画像データ）は、全再生時間が１時間である同一の映像ソースからそれぞれ構成されている。
【００２５】
例えばタイトル情報＃１に対応する動画像データは、ビットレートが６Ｍｂｐｓ、圧縮形式がＭＰＥＧ２（Moving Picture Experts Group）、解像度がＳＤ（480i）規格の組み合わせによって規定されたフォーマットの種類に対応する動画像データである。タイトル情報＃１に対応する動画像データにおいては、全再生時間が２時間３０分であるのに対して、予想再生時間は、２時間である。従って、タイトル情報＃１に対応する動画像データの再生可否項目には、システム制御用プロセッサ１００によって、ビデオタイトル１に対応する動画像データの全再生時間を最後まで再生することが出来ないことを示す「否」マークが付される。
【００２６】
例えばタイトル情報＃２の動画像データは、ビットレートが３Ｍｂｐｓ、圧縮形式がＭＰＥＧ４、解像度がＣＩＦ（Common Intermediate Format）規格の組み合わせによって規定されたフォーマットの種類に対応する動画像データである。タイトル情報＃２の動画像データにおいては、全再生時間が２時間３０分であるのに対して、予想再生時間は、２時間３０分である。従って、タイトル情報＃２に対応する動画像データの再生可否項目には、システム制御用プロセッサ１００によって、ビデオタイトル１に対応する動画像データの全再生時間を最後まで再生することが出来ることを示す「可」マークが付される。
【００２７】
次に、図５を参照して、消費電力情報の例を説明する。図５に示されているように、消費電力情報には、動画像データのフォーマットの種類毎に、単位時間当たりの消費電力が規定されている。
【００２８】
例えば、ビットレートが４Ｍｂｐｓ、圧縮形式がＶＣ１（Video Coding）、解像度がＳＤ（480i）規格の組み合わせにより規定されたフォーマットの種類に対応する動画像データを再生する際、単位時間当たりに消費される電力は、６００ｍＡである。この消費電力情報は、例えばシステムメモリ１０３に予め格納されている。実際には、単位時間当たりの消費電力は、フォーマットの種類のみならず本ＡＶプレーヤ１０に関する動作電力も考慮した上で算出される。本ＡＶプレーヤ１０に関する動作電力は、例えば本ＡＶプレーヤ１０のＬＣＤパネル２０のコントラストの度合いに応じた消費電力および本ＡＶプレーヤ１０に搭載されたスピーカから出力される音量に応じた消費電力などである。
【００２９】
次に、図６乃至図８のフローチャートを参照して、本実施形態における再生処理の第１の例を説明する。この再生処理は、システム制御用プロセッサ１００によって実行される。パワーボタンスイッチ１３が押下された時、本ＡＶプレーヤ１０が電源オンされるとともに、ＡＶプレーヤ１０の各コンポーネントが初期化される（ステップＳ１０１）。システム制御用プロセッサ１００は、バッテリ１０４の残容量を調査し、バッテリ１０４の残容量が所定値よりも大きいか否かを判別する（ステップＳ１０２，ステップＳ１０３）。バッテリ１０４の残容量が所定値以下である場合（ステップＳ１０３のＮＯ）、システム制御用プロセッサ１００は、ＬＣＤパネル２０にバッテリ切れを示すメッセージを表示して、本ＡＶプレーヤ１０をシャットダウンする（ステップＳ１０４）。
【００３０】
バッテリ１０４の残容量が所定値よりも大きいと判別された場合（ステップＳ１０３のＹＥＳ）、システム制御用プロセッサ１００は、光ディスクドライブ３０に挿入されている記録メディア１２０に格納されている、全動画像データそれぞれの全再生時間とフォーマットの種類（ビットレート，解像度，圧縮形式）とを調査する（ステップＳ１０５，ステップＳ１０６）。ステップＳ１０６においては、システム制御用プロセッサ１００は、例えば圧縮形式がＭＥＰＧ２によって規定されている動画像データであれば、その動画像データのシーケンスヘッダ部を参照することで、フォーマットの種類を調査することができる。また、例えば本来のビデオタイトル名とは別にユーザによって付されるインデックスデータが調査されることで、動画像データのビデオタイトル名を調査することが出来る。
【００３１】
システム制御用プロセッサ１００は、消費電力情報と、調査されたフォーマットの種類および調査されたバッテリ１０４の残容量とに基づいて、動画像データ毎の予想再生時間を算出し、その算出結果に基づいてコンテンツリストを生成する（ステップＳ１０７）。
【００３２】
システム制御用プロセッサ１００は、生成したコンテンツリストをＬＣＤパネル２０に表示する（ステップＳ１０８）。ステップＳ１０８においては、システム制御用プロセッサ１００は、ビデオタイトル毎に、そのビデオタイトルに対応する各動画像データの予想再生時間および再生可否項目の内容を、リモコンから支持される表示指示に応じて、オンスクリーンディスプレイ（on-screen display）または表示パネル１６に表示する。オンスクリーンディスプレイはＬＣＤパネル２０上にオーバレイ表示する機能である。
【００３３】
次に、システム制御用プロセッサ１００は、複数のビデオタイトルから再生対象のビデオタイトルを選択する（ステップＳ１０９）。ステップＳ１０９においては、例えばＡＶプレーヤ１０の動作モードが自動選択モードである場合、システム制御用プロセッサ１００は、複数のビデオタイトルの中から再生対象のビデオタイトルを自動的に選択する。また、例えばＡＶプレーヤ１０の動作モードがユーザ選択モードである場合、複数のビデオタイトルの中から再生対象のビデオタイトルを選択するための画面をＬＣＤパネル２０に表示する。ユーザは操作スイッチ群１４を操作することによって、再生対象のビデオタイトルを選択することができる。
【００３４】
次に、システム制御用プロセッサ１００は、再生対象のビデオタイトルに、複数の動画像データが存在するか否かを判別する（ステップＳ１１０）。再生対象のビデオタイトルに対応する複数の動画像データが存在する場合（ステップＳ１１０のＹＥＳ）、システム制御用プロセッサ１００は、現在のバッテリの残容量およびコンテンツリストに基づいて、「再生対象のビデオタイトルに対応する複数の動画像データの全てが、最後まで再生することが可能な動画像データである」という条件を満たすか否かを判別する（ステップＳ１１２）。「再生対象のビデオタイトルに対応する複数の動画像データの全てが、最後まで再生することが可能な動画像データである」という条件を満たさない場合（ステップＳ１１２のＮＯ）、システム制御用プロセッサ１００は、現在のＡＶプレーヤ１０の動作モードが、再生対象のビデオタイトルに対応する動画像データの初期区間を最も高い解像度で再生する“高画質再生モード”であるか否かを判別する（図７のステップＳ１１４）。
【００３５】
ＡＶプレーヤ１０の動作モードが“高画質再生モード”ではないと判別された場合（ステップＳ１１４のＮＯ）、システム制御用プロセッサ１００は、コンテンツリストに基づいて、再生対象のビデオタイトルに対応する複数の動画像データの中から最も長い予想再生時間を有する動画像データを選択し、選択した動画像データを再生する（ステップＳ１１６）。
【００３６】
次に、システム制御用プロセッサ１００は、再生中のビデオタイトルの残り再生時間とバッテリ１０４の残容量とを調査する（ステップＳ１１７）。残り再生時間は、現在再生中のビデオタイトルに対応する動画像データの全再生時間から再生済みの時間を減算した時間である。ステップＳ１１７においては、システム制御用プロセッサ１００は、残り再生時間および調査したバッテリ１０４の残容量の調査結果に従って、再生中のビデオタイトルに対応する複数の動画像データ毎に、各予想再生時間項目および再生可否項目それぞれの内容を更新する。システム制御用プロセッサ１００は、ステップＳ１１７において調査されたバッテリ１０４の残容量が所定値よりも大きいか否か、すなわち、再生中の動画像データを最後まで再生するために必要な十分なバッテリ残容量があるか否か、を判別する（ステップＳ１１８）。バッテリの残容量が所定値よりも大きいと判別された場合（ステップＳ１１８のＹＥＳ）、システム制御用プロセッサ１００は、現在再生中のビデオタイトルの再生を継続する（ステップＳ１１９）。システム制御用プロセッサ１００は、バッテリ１０４の残容量を調査して、バッテリ切れ直前であるか否か、つまりバッテリ１０４の残容量が極端に低下している状態であるか否かを判別する（ステップＳ１２０）。バッテリ１０４の残容量が極端に低下している状態とは、例えばバッテリ１０４の残容量が殆どない状態であって、本ＡＶプレーヤ１０において動画像データの再生処理が継続できない状態である。
【００３７】
バッテリ１０４の残容量が極端に低下している状態であると判別された場合（ステップＳ１２０のＹＥＳ）、システム制御用プロセッサ１００は、ビデオタイトルの再生を継続することが不可能な状態であると判別する（図８のステップＳ１２３）。次に、システム制御用プロセッサ１００は、現在再生中のビデオタイトル名と、現在の再生位置を示す再生位置情報（現在再生中のチャプタの位置、または再生開始からの経過時間を示す）とをシステムメモリ１０３またはＤＶＤ−ＲＡＭ等に保存する（ステップＳ１２４）。そして、例えば本ＡＶプレーヤ１０に外部電源からの電力が供給された時、バッテリの交換時、またはバッテリ１０４の再充電によって動画像コンテンツを再生可能な状態に復帰した時に、システム制御用プロセッサ１００は、システムメモリ１０３およびＤＶＤ−ＲＡＭ等の記録メディアに保存されたビデオタイトル名および再生位置情報を調査する（ステップＳ１２５，ステップＳ１２６）。システム制御用プロセッサ１００は、保存されたビデオタイトル名で指定される再生対象のビデオタイトルに対応する複数の動画像データが存在するか否かを判別する（ステップＳ１２７）。再生対象のビデオタイトルに対応する複数の動画像データが存在すると判別された場合（ステップＳ１２７のＹＥＳ）、システム制御用プロセッサ１００は、「複数の動画像データの全てが最後まで再生することが可能な動画像データである」という条件を満たすか否かを判別する（ステップＳ１２８）。「複数の動画像データの全てが最後まで再生することが可能な動画像データである」という条件を満たさないと判別された場合（ステップＳ１２８のＮＯ）、システム制御用プロセッサ１００は、すでに生成されているコンテンツリストに基づいて、再生対象のビデオタイトルに対応する複数の動画像データの中から最も長い予想再生時間を有する動画像データを選択する。そして、システム制御用プロセッサ１００は、調査した再生位置情報に基づいて、選択した動画像データを再生する（ステップＳ１２９）。
【００３８】
一方、調査されたビデオタイトルに対応する動画像データに複数の動画像データが存在しないと判別された場合（ステップＳ１２７のＮＯ）、システム制御用プロセッサ１００は、保存されている再生位置情報で指定される再生位置から、前回再生した動画像データを再生する（ステップＳ１３０）。そして、システム制御用プロセッサ１００は、ステップＳ１１７の処理に進む。
【００３９】
「複数の動画像データの全てが、最後まで再生することが可能な動画像データである」という条件を満たすと判別された場合には（ステップＳ１２８のＹＥＳ）、システム制御用プロセッサ１００は、再生対象のビデオタイトルに対応する複数の動画像データの中から、最も高画質の動画像データ（例えば最も高い解像度を有する動画像データ）を選択する。そして、システム制御用プロセッサ１００は、調査した再生位置情報に基づいて選択した動画像データを再生する（ステップＳ１３１）。そして、システム制御用プロセッサ１００は、ステップＳ１１７の処理に進む。
【００４０】
一方、図６のステップＳ１１０において、再生対象のビデオタイトルに複数の動画像データが存在すると判別された場合（ステップＳ１１０のＮＯ）、システム制御用プロセッサ１００は、選択したビデオタイトルに対応する動画像データを再生する（ステップＳ１１１）。ステップＳ１１１の処理を実行した後、システム制御用プロセッサ１００は、ステップＳ１１７の処理に進む。
【００４１】
一方、「再生対象のビデオタイトルに対応する複数の動画像データの全てが、最後まで再生することが可能な動画像データである」という条件を満たす場合（ステップＳ１１２のＹＥＳ）、システム制御用プロセッサ１００は、再生対象のビデオタイトルに対応する複数の動画像データの中から最も高画質の動画像データ（例えば最も高い解像度を有する動画像データ）を選択し、選択した動画像データを再生する（ステップＳ１１３）。ステップＳ１１３の処理を実行した後、システム制御用プロセッサ１００は、ステップＳ１１７の処理に進む。
【００４２】
一方、本ＡＶプレーヤ１０の動作モードが、“高画質再生モード”であると判別された場合（ステップＳ１１４のＹＥＳ）、システム制御用プロセッサ１００は、再生対象のビデオタイトルに対応する複数の動画像データの中から最も高画質の動画像データ（例えば最も高い解像度を有する動画像データ）を選択し、選択した動画像データを再生する（ステップＳ１１５）。ステップＳ１１５の処理を実行した後、システム制御用プロセッサ１００は、ステップＳ１１７の処理に進む。そして、ビデオタイトルの再生中にバッテリ１０４の残容量が低下したならば、システム制御用プロセッサ１００は、現在再生中のビデオタイトルに対応する複数の動画像データの中で、再生対象の動画像データを、最も高画質の動画像データ（例えば最も高い解像度を有する動画像データ）からより長い予想再生時間を有する動画像データに切り替える。
【００４３】
一方、バッテリ残容量が所定値以下であると判別された場合（ステップＳ１１８のＮＯ）、システム制御用プロセッサ１００は、現在再生中のビデオタイトルに対応する複数の動画像データの中に、現在選択されている動画像データよりも低い消費電力で再生可能な動画像データがあるか否かを判別する（ステップＳ１２１）。
【００４４】
現在選択されている動画像データよりも低い消費電力で再生可能な動画像データがある場合（ステップＳ１２１のＹＥＳ）、システム制御用プロセッサ１００は、再生中の動画像データの解像度を落として再生する自動省電力モードであるか否かを判別する（ステップＳ１２２）。再生中の動画像データの解像度を落として再生するモードであると判別された場合（ステップＳ１２２のＹＥＳ）、システム制御用プロセッサ１００は、再びステップＳ１１６の処理に進む。
【００４５】
一方、現在再生中のビデオタイトルに対応する複数の動画像データの中に、現在選択されている動画像データよりも低い消費電力で再生可能な動画像データが無いと判別された場合（ステップＳ１２１のＮＯ）、または本ＡＶプレーヤ１０の動作モードが自動省電力モードではないと判別された場合（ステップＳ１２２のＮＯ）、システム制御用プロセッサ１００は、現在再生中のビデオタイトルの再生を継続する（ステップＳ１１９）。
【００４６】
このように、本再生処理の第１の例においては、ＡＶプレーヤ１０は、バッテリ１０４の残容量とフォーマットの種類とに基づいて、現在再生中のビデオタイトルと同一のビデオタイトルに対応する動画像データの中から最初から最後まで再生することが可能な動画像データを選択して、選択した動画像データを再生することが出来る。即ち、ＡＶプレーヤ１０のバッテリ動作時間を長くするために、システム制御用プロセッサ１００の内部クロックを低下または停止させることなく、再生可能時間が最も長い動画像データが選択され、その選択された動画像データが再生される。これによって、動画像データのコマ落ち等の発生を招くことなく、動画像データの再生をより長い時間継続することが可能となる。また、ＡＶプレーヤ１０は、消費電力情報とフォーマットの種類とバッテリ１０４の残容量とに基づいて再生可能な時間を予測したコンテンツリスト生成する。動画像データを再生する時、生成されたコンテンツリストが参照されることによって、動画像データの再生をより長い時間継続するための好適な動画像データが選択される。また、ＡＶプレーヤ１０は、コンテンツリストを参照することにより、動画像データの再生をより長い時間継続するために好適な動画像データが自動的に選択するが、この時、コンテンツリストおよび選択された動画像データの再生可能時間等をＬＣＤパネル２０上に表示してもよい。ユーザは、選択された動画像データの再生可能時間等を視認することができるとともに、表示されたコンテンツリストから自動的に選択された動画像データ以外の動画像データを指定することができる。
【００４７】
また、動画像データを再生中に、バッテリ１０４の残容量が所定値よりも低下した場合には、本ＡＶプレーヤ１０は、再生中のビデオタイトルに対応する複数の動画像データの中から、現在再生中の動画像データよりも長い時間継続して再生することが可能な動画像データを選択し、その選択した動画像データを再生することもできる。即ち、動画像データの再生中にバッテリ１０４の残容量が低下した場合、現在再生中の動画像データを停止し、現在再生中の動画像データと同一のビデオタイトルで且つより長い時間継続して再生することが可能な動画像データが選択される。そして、その停止位置から選択された動画像データの再生が開始される。つまり、ビデオタイトルの再生中に、高画質の動画像データから、再生中のビデオタイトルと同一であって且つより長い時間継続して再生することが可能な動画像データに切り替えられる。これによって、ビデオタイトルの再生中にバッテリ１０４の残容量が低下しても、現在再生中の動画像データをより長い時間継続して再生することができる。
【００４８】
また、ＡＶプレーヤ１０は、バッテリ１０４の残容量が所定値以下であっても、再生対象のビデオタイトルに対応する複数の動画像データの中から、最も高画質の動画像データを選択して、選択した動画像データを再生することもできる。これによって、ユーザは、例えばバッテリ残容量が低下した場合でも、再生開始から一定の期間は、再生対象のビデオタイトルを高画質で視聴することができる。高画質の動画像データを再生している場合においても、本ＡＶプレーヤ１０は、バッテリ残容量と、再生中の残り再生時間とを定期的に調査する。そして、ビデオタイトルの再生中にバッテリの残容量が所定値以下になった場合、本ＡＶプレーヤ１０は、現在再生中のビデオタイトルの再生を停止し、現在再生中のビデオタイトルと同一のビデオタイトルで且つより長い時間継続して再生することが可能な動画像データを選択する。そして、ＡＶプレーヤ１０は、ビデオタイトルの停止位置から選択した動画像データを再生する。即ち、現在再生中の高画質の動画像データから、現在再生中のビデオタイトルと同一で且つより長い時間継続して再生することが可能な動画像データに切り替えて、現在の再生位置から動画像データを再生することができる。これによって、再生中の残りの区間においては、ユーザは、再生対象のビデオタイトルをより長く視聴することができる。
【００４９】
また、動画像データの再生中にバッテリ１０４の電力不足により本ＡＶプレーヤ１０を継続して駆動することが出来ない場合においては、本ＡＶプレーヤ１０は、再生中の動画像データのビデオタイトル名および再生位置情報を保存する。これによって、次回再びＡＶプレーヤ１０が起動された時、ＡＶプレーヤ１０は、保存されたビデオタイトル名によって指定される動画像データを再生位置情報によって示される再生位置に基づいて、再生が中断した位置から再生することができる。
【００５０】
次に、図９乃至図１１を参照して、本発明において実行される再生処理の第２の例を説明する。この再生処理の第２の例においては、本ＡＶプレーヤ１０は、２つの記録層を有する記録メディア１２０に格納された動画像コンテンツを再生する。記録メディア１２０には、ビデオタイトル毎に、互いに異なるフォーマットを有する動画像データが格納されている。図９には、記録メディア１２０の断面構造の例が示されている。記録メディア１２０は、記録層＃１および記録層＃２の２つの記録層を有している。即ち、再生処理の第２の例においては、本ＡＶプレーヤ１０は、２つの記録層を有する記録ディスクに格納された動画像データの中から、バッテリ１０４の残容量およびフォーマットの種類に基づいて、記録層＃１に格納された動画像データを再生するか、あるいは記録層＃２に格納された動画像データを再生するかを切り替えて再生する。具体的には、例えば、バッテリ１０４の残容量が所定値よりも大きい場合、再生対象のビデオタイトルに対応する複数の動画像データの中から、記録層＃２に格納された動画像データを再生し、バッテリ１０４の残容量が所定値以下である場合、記録層＃１に格納された動画像データを再生する。
【００５１】
記録層＃１は、例えば、赤色レーザ光を使用する通常のＤＶＤドライブによって読み取り可能な記録層である。この記録層＃１にはビデオタイトル毎に、例えばＳＤのような解像度を有する動画像データが格納されている。記録層２は、例えば、青紫色レーザ光を使用するＨＤ  ＤＶＤドライブによって読み取り可能な記録層である。記録層＃２にはビデオタイトル毎に、例えばＨＤのような解像度を有する動画像データが格納されている。
【００５２】
光ディスクドライブ３０の光ピックアップ部１２２はＤＶＤ／ＨＤ  ＤＶＤ互換型の光ヘッドであり、赤色レーザ光および青紫色レーザ光を選択的に使用することにより、記録層＃１および記録層＃２の双方を読み取ることができる。
【００５３】
また、本実施形態においては、ＤＶＤ／ＨＤ  ＤＶＤ互換型の記録ディスクとＤＶＤ／ＨＤ  ＤＶＤ互換型の光ヘッドとを用いたが、記録層＃１および記録層＃２の双方が青紫色レーザ光を使用することによって読み取り可能な記録メディアと、この記録メディアに格納された２つの記録層それぞれを読み取り可能なＨＤ  ＤＶＤの光ヘッドとを用いてもよい。
【００５４】
次に図１０を参照して、再生処理の第２の例におけるコンテンツリストの例を説明する。図１０に示されているように、再生処理の第２の例におけるコンテンツリストには、動画像データ毎に“タイトル”項目、“タイトル情報”項目、“記録層”項目、“ビットレート”項目、“圧縮形式”項目、“解像度”項目、“全再生時間”項目、“予想再生時間”項目、“再生可否”項目が規定されている。図１０における各項目の中で図４と同じ項目については、その説明を省略する。“記録層”項目は、動画像データが格納されている記録層を示す。
【００５５】
記録メディア１２０には、ビデオタイトル１に対応する２つの動画像データおよびビデオタイトル２に対応する２つの動画像データが格納されている。ビデオタイトル１に対応する２つの動画像データは、記録層＃２に格納されたタイトル情報＃１に対応する動画像データおよび記録層＃１に格納されたタイトル情報＃２に対応する動画像データである。ビデオタイトル２に対応する２つの動画像データは、記録層＃２に格納されたタイトル情報＃３に対応する動画像データおよびタイトル情報＃４に対応する動画像データである。
【００５６】
ビデオタイトル１に対応する２つの動画像データ（タイトル情報＃１に対応する動画像データおよびタイトル情報＃２に対応する動画像データ）は、全再生時間が２時間３０分である同一の映像ソースからそれぞれ構成されている。ビデオタイトル２に対応する２つの動画像データ（タイトル情報＃３に対応する動画像データおよびタイトル情報＃４に対応する動画像データ）は、全再生時間が２時間である同一の映像ソースからそれぞれ構成されている。
【００５７】
例えばタイトル情報＃１に対応する動画像データは、ビットレートが６Ｍｂｐｓ、圧縮フォーマットがＭＰＥＧ２、解像度がＨＤ規格の組み合わせによって規定されたフォーマットの種類に対応する動画像データである。タイトル情報＃１に対応する動画像データにおいては、全再生時間が２時間３０分であるのに対して、予想再生時間は、２時間である。従って、タイトル情報＃１に対応する動画像データの再生可否項目には、システム制御用プロセッサ１００によって「否」マークが付される。
【００５８】
タイトル情報＃２に対応する動画像データは、ビットレートが３Ｍｂｐｓ、圧縮フォーマットがＭＰＥＧ４、解像度がＳＤ規格の組み合わせから規定されたフォーマットの種類に対応する動画像データである。タイトル情報＃２に対応する動画像データにおいては、全再生時間が２時間であるのに対して、予想再生時間は、２時間である。従って、タイトル情報＃２に対応する動画像データの再生可否項目には、システム制御用プロセッサ１００によって「可」マークが付される。
【００５９】
次に、図１１のフローチャートを参照して、再生処理の手順の第２の例を説明する。光ディスクドライブ３０に記録メディア１２０が挿入された時、システム制御用プロセッサ１００は、挿入された記録メディア１２０に記録層が２つあるか否かを判別する（Ｓ２０１）。ステップＳ２０１においては、光ピックアップ部１２２は、挿入された記録メディア１２０に赤色レーザ光および青紫色レーザ光を選択的に照射する。もし、照射した青紫色レーザ光が記録メディア１２０の記録層＃２によって反射された場合、記録メディア１２０には記録層＃２が存在すると判別される。一方、照射した青紫色レーザ光が記録層＃２によって反射されなかった場合、即ち記録層が一つしかないと判別された場合（ステップＳ２０１のＮＯ）、システム制御用プロセッサ１００は、図６のステップＳ１０２の処理に進む。
【００６０】
記録層が２つあると判別された場合（ステップＳ２０１のＹＥＳ）、システム制御用プロセッサ１００は、記録メディア１２０の記録層＃１および記録層＃２それぞれからＡＶ信号を取得し、全動画像データそれぞれの全再生時間とフォーマットの種類（ビットレート，解像度，圧縮形式）とを調査する（ステップＳ２０２）。システム制御用プロセッサ１００は、現在のバッテリ１０４の残容量を調査する（ステップＳ２０３）。システム制御用プロセッサ１００は、消費電力情報と、調査されたバッテリ１０４の残容量とに基づいて、複数の動画像データそれぞれの予想再生時間を算出し、その算出結果に基づいてコンテンツリストを生成する（ステップＳ２０４）。システム制御用プロセッサ１００は、生成したコンテンツリストをＬＣＤパネル２０に表示する（ステップＳ２０５）。ステップＳ２０５においては、システム制御用プロセッサ１００は、ビデオタイトル毎に、そのビデオタイトルに対応する各動画像データの予想再生時間項目および再生可否項目の内容を必要に応じてオンスクリーンディスプレイ（ＯＳＤ）または表示パネル１６に表示する。システム制御用プロセッサ１００は、複数のビデオタイトルから再生対象のビデオタイトルを選択する（ステップＳ２０６）。ステップＳ２０６においては、例えばＡＶプレーヤ１０の動作モードが自動選択モードである場合、システム制御用プロセッサ１００は、複数のビデオタイトルの中から再生対象のビデオタイトルを自動的に選択する。また、例えばＡＶプレーヤ１０の動作モードがユーザ選択モードである場合、システム制御用プロセッサ１００は、複数のビデオタイトルの中から再生対象のビデオタイトルを選択するための画面をＬＣＤパネル２０に表示する。ユーザは操作スイッチ群１４を操作することによって、再生対象のビデオタイトルを選択することができる。
【００６１】
次に、システム制御用プロセッサ１００は、バッテリ１０４の残容量が所定値よりも大きいか否かを判別する（ステップＳ２０７）。バッテリ１０４の残容量が所定値よりも大きいと判別された場合、例えばバッテリ１０４の残容量の値が高画質の動画像データを最後まで再生可能な値である場合（ステップＳ２０７のＹＥＳ）、システム制御用プロセッサ１００は、再生対象のビデオタイトルに対応する複数の動画像データの中から、記録層＃２に格納された高画質の動画像データ（例えばＨＤのような解像度を有する動画像データ）を選択し、選択した動画像データを再生する（ステップＳ２０８）。
【００６２】
一方、バッテリ１０４の残容量が所定値以下であると判別された場合、例えばバッテリ１０４の残容量の値が高画質の動画像データを最後まで再生できない値である場合（ステップＳ２０７のＮＯ）、システム制御用プロセッサ１００は、現在のＡＶプレーヤ１０の動作モードが“高画質再生モード”であるか否かを判別する（ステップＳ２１２）。ＡＶプレーヤ１０の動作モードが“高画質再生モード”ではないと判別された場合（ステップＳ２１２ＮＯ）、システム制御用プロセッサ１００は、再生対象のビデオタイトルに対応する動画像データの中から、記録層＃１に格納された標準画質の動画像データ（例えばＳＤのような解像度を有する動画像データ）を選択し、選択した動画像データを再生する（ステップＳ２１３）。現在のＡＶプレーヤ１０の動作モードが“高画質再生モード”であると判別された場合、システム制御用プロセッサ１００は、ステップＳ２０８に進み、再生対象のビデオタイトルに対応する複数の動画像データの中から、記録層＃２に格納された高画質の動画像データを選択し、その選択した動画像データを再生する。
【００６３】
次いで、ステップＳ２０９において、システム制御用プロセッサ１００は、動画像データの再生中に再びバッテリ１０４の残容量を調査し、調査したバッテリ１０４の残容量が所定値よりも大きいか否かを判別する（ステップＳ２０９）。バッテリ１０４の残容量が所定値以下である場合（ステップＳ２０９のＮＯ）、システム制御用プロセッサ１００は、現在再生中のビデオタイトル名および再生位置情報をシステムメモリ１０３またはＤＶＤ−ＲＡＭ等に保存する（ステップＳ２１０）。次に、システム制御用プロセッサ１００は、生成されているコンテンツリストに基づいて、保存されたビデオタイトル名によって指定されるビデオタイトルに対応する複数の動画像データの中から、記録層＃１に格納された標準画質の動画像データを選択する。システム制御用プロセッサ１００は、高画質の動画像データの再生を中止し、そして保存された再生位置情報によって示される再生位置から、その選択した動画像データを再生する（ステップＳ２１１）。
【００６４】
このように、再生処理の第２の例においては、バッテリ１０４の残容量とフォーマットの種類とに基づいて、本ＡＶプレーヤ１０は、バッテリ１０４の残容量が所定値以下になった場合、再生中のビデオタイトルと同一のビデオタイトルに対応する記録層＃１に格納された標準動画像データを選択し、その選択した動画像データを再生する。即ち、動画像データの再生中にバッテリ１０４の残容量が低下した場合、本ＡＶプレーヤ１０は、現在再生中の動画像データを停止し、現在再生中の動画像データと同一のビデオタイトルであって且つ記録層＃１に格納された動画像データを選択する。そしてＡＶプレーヤ１０は、動画像データの停止位置から選択した動画像データの再生を開始する。つまり、ビデオタイトルを再生している間、記録層＃２に格納された高画質の動画像データから、再生中のビデオタイトルと同一である記録層＃１に格納された標準動画像データに切り替える。これによって、ビデオタイトルの再生中にバッテリ１０４の残容量が低下した場合でも、現在再生中の動画像データの再生途中から、再生中のビデオタイトルと同一のビデオタイトルであって且つより長い時間継続して再生することが可能な動画像データに切り替えて再生すること出来る。
【００６５】
記録層＃２に格納されている動画像データの再生中に、バッテリ１０４の残容量が所定値以下になった場合、再生中の動画像データを停止して、再生中の動画像データと同一のビデオタイトルに対応する記録層＃１に格納されている動画像データの再生を、停止した位置から開始する。即ち、バッテリの残容量が所定値以下になった場合、本ＡＶプレーヤ１０は、再生中の動画像データを中断して、再生中のビデオタイトルと同一のビデオタイトルに対応する動画像データを選択して、中断した位置から選択した動画像データの再生を開始する。
【００６６】
また、本実施例においては、ビデオタイトルに対応する複数の動画像データは記録メディア１２０に格納されている例を説明したが、例えばメモリカード１０９に格納されていてもよい。また、ＤＶＤ−ＲＡＭ等に記録される再生途中のビデオタイトルおよび再生位置情報は、例えばメモリカード１０９に記録してもよい。
【００６７】
なお、本ＡＶプレーヤ１０は、動画像データを選択するためのコンテンツリストを生成する例を説明したが、動画像データのフォーマットの種類および調査したバッテリ１０４の残容量に応じて、ビデオタイトルを再生することが出来る。例えばバッテリの残容量が所定値よりも大きい場合、ＡＶプレーヤ１０は、再生対象のビデオタイトルに対応する複数の動画像データの中から最も高画質の動画像データを選択し、その選択した動画像データを再生する。例えば、ＡＶプレーヤ１０は、バッテリの残容量が所定値以下である場合、再生対象のビデオタイトルに対応する複数の動画像データの中から長い時間継続して再生することが可能な動画像データを選択し、選択した動画像データを再生する。例えば、本ＡＶプレーヤ１０は、バッテリ１０４の残容量が所定値以下である場合、再生対象の動画像データの初期区間を高画質で再生されるように高画質の動画像データを選択し、再生対象の動画像データの残りの区間を長い時間継続して再生可能な動画像データを選択して、選択した動画像データを再生することもできる。
【００６８】
なお、本実施形態で説明した再生処理の手順は全てコンピュータプログラムによって実現されているので、当該コンピュータプログラムをコンピュータ読み取り可能な記録媒体を通じて通常のコンピュータに導入するだけで、本実施形態と同様の効果を容易に実現することが出来る。
【００６９】
また、本発明は、上記実施形態そのままに限定されるものではなく、実施段階では、その要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に異なる実施形態に構成要素を適宜組み合わせてもよい。
【図面の簡単な説明】
【００７０】
【図１】本発明の一実施形態に係る再生装置の外観を示す斜視図。
【図２】図１の再生装置のシステム構成の例を示すブロック図。
【図３】図１の再生装置に設けられたシステム制御用プロセッサの機能構成を説明するためのブロック図。
【図４】図１の再生装置によって生成されるコンテンツリストの第１の例を説明するための図。
【図５】図１の再生装置によって予め設定されたフォーマットの種類毎の消費電力量を定めた消費電力情報の例を説明するための図。
【図６】図１の再生装置で実行される再生処理の手順の第１の例を説明するための第１のフローチャート。
【図７】図１の再生装置で実行される再生処理の手順の第１の例を説明するための第２のフローチャート。
【図８】図１の再生装置で実行される再生処理の手順の第１の例を説明するための第３のフローチャート。
【図９】図１の再生装置によって実行される再生処理の第２の例における記録メディアの断面構造の例を示す図。
【図１０】図１の再生装置によって生成されるコンテンツリストの第２の例を説明するための図。
【図１１】図１の再生装置によって実行される再生処理の手順の第２の例を説明するためのフローチャート。
【符号の説明】
【００７１】
１０…ＡＶプレーヤ、１３…パワーボタンスイッチ、２０…表示パネル、３０…光ディスクドライブ、３０…表示パネル、１００…システム制御用プロセッサ、１０３…システムメモリ、１０４…バッテリ、１０５…充電回路、１０６…電源回路、１０７…サブマイコン、１２０…記録メディア、１２１…モータドライバ、１２２…光ピックアップ部、２０１…バッテリ残容量検出部、２０２…動画像データ選択処理部、２０３…動画像データ再生処理部。
【図１】
2007066447.tif 000003
【図２】
2007066447.tif 000004
【図３】
2007066447.tif 000005
【図４】
2007066447.tif 000006
【図５】
2007066447.tif 000007
【図６】
2007066447.tif 000008
【図７】
2007066447.tif 000009
【図８】
2007066447.tif 000010
【図９】
2007066447.tif 000011
【図１０】
2007066447.tif 000012
【図１１】
2007066447.tif 000013